(57)【要約】【課題】スプリンクラ配管に水車を設け、水流を利用して発電する。【解決手段】スプリンクラヘッド３が接続された二次側配管２を備えたスプリンクラ消火設備において、配管内を流れる水によって回転する回転駆動手段３０（水車３１）と；その回転駆動手段に接続された発電機３２と；発電機によって発電された電気を蓄える充電池２４とを設けた。二次側配管の基端側には水道本管１が接続され、二次側配管の末端には、定期的に開放される給水栓１１が設けられる。配管内の給水栓１１を開放することで、停滞水が防止されると共に水車３１が回転して制御盤２０内の充電池２４を充電する。【選択図】　図２
2004113665.tif 000002
【特許請求の範囲】
【請求項１】
スプリンクラヘッドが接続された二次側配管を備えたスプリンクラ消火設備において、
配管内を流れる水によって回転する回転駆動手段と；その回転駆動手段に接続された発電機と；発電機によって発電された電気を蓄える充電池とを設けたことを特徴とするスプリンクラ消火設備。
【請求項２】
前記二次側配管に流水検知装置を設け、流水検知装置に制御盤を接続し、その制御盤に前記充電池を設けたことを特徴とする請求項１記載のスプリンクラ消火設備。
【請求項３】
前記二次側配管の基端側には水道本管が接続され、前記二次側配管の末端に、定期的に開放される給水栓を設けたことを特徴とする請求項１又は請求項２記載のスプリンクラ消火設備。
【発明の詳細な説明】
【０００１】
【発明の属する技術分野】
この発明は、スプリンクラ消火設備に関するもので、特に水道水を使用した家庭用のスプリンクラ消火設備に関するものである。
【０００２】
【従来の技術】
従来、水道水を水源として使用した家庭用のスプリンクラ消火設備がある。この設備は、水道本管から配管を分岐して、その分岐した二次側配管にスプリンクラヘッドを取り付けている。二次側配管の基端側には流水検知装置が設けられ、火災時にスプリンクラヘッドが動作すると、配管内の流水を検知して警報を出すようにしてある。
【０００３】
この家庭用のスプリンクラ消火設備では、水道水を使用していることから、配管内に停滞水を生じさせないようにしなければならない。このため二次側配管の末端には給水栓が設けられ、この給水栓を定期的に開放することで、二次側配管内に停滞水が生じないようにしてある（例えば特許文献１参照）。
【０００４】
【特許文献１】
特開平１１−２８３１４６号公報
【０００５】
【発明が解決しようとする課題】
このように、末端の給水栓を開放して停滞水の発生を防止している。この際、配管内を流れる水はトイレの流し水として使用されるが、配管内を流れる水のエネルギ自体は利用されていなかった。
【０００６】
【課題を解決するための手段】
本発明は、以上の問題点を解決するためになされたものであり、スプリンクラヘッドが接続された二次側配管を備えたスプリンクラ消火設備において、配管内を流れる水によって回転する回転駆動手段と、その回転駆動手段に接続された発電機と、発電機によって発電された電気を蓄える充電池とを設けたことを特徴とするものである。
【０００７】
【発明の実施の形態】
図１はスプリンクラ消火設備のシステム図である。図において、Ｈは一戸建ての住戸で、住戸Ｈには、二次側配管２が設けられ、その基端側は水道本管１に接続されている。二次側配管２には複数のスプリンクラヘッド３が接続されている。
【０００８】
５はスプリンクラヘッド３の動作に伴う流水を検知する流水検知装置で、二次側配管２の基端側に設けられる。この流水検知装置５と水道本管１の間には、逆止弁６及び手動の停止弁７（止水弁とも言う）が設けられている。
【０００９】
１０は二次側配管２の末端側に設けた定流量弁で、その先端には、定期的に開放される末端給水栓１１が設けられる。この定流量弁１０の流量は１０Ｌ／ｍｉｎ．で、これにより末端給水栓１１の流量は制限されている。また末端給水栓１１はトイレのロータンクや洗濯機の箇所に設置されている。
【００１０】
ここで、スプリンクラヘッドの流量は、例えば３０Ｌ／ｍｉｎ．であり、また流水検知装置５の作動流量は、例えば２０Ｌ／ｍｉｎ．に設定されている。このため流水検知装置５は、末端給水栓１１が使用されている時の、二次側配管２内の流水は検知せず、スプリンクラヘッド３の動作による二次側配管２内の流水だけを検知できるようになっている。このようにするために、流水検知装置５の作動流量はスプリンクラヘッド３の流量より小さく、かつ、定流量弁１０の流量より大きく設定されている。
【００１１】
１２は水道本管１に設けた水道メータで、水道メータ１２の二次側には、停止弁１３が設けられる。１４は水道本管１から分岐して設けられた配管の先端に取り付けられた生活用の給水栓である。
【００１２】
２０は制御手段としての制御盤で、流水検知装置５と接続されている。この制御盤２０には、必要に応じて図示しない火災感知器が接続され、また図示しない玄関子機との通話機能を設けてもよい。制御盤２０の構成を図２にブロック図で示す。
【００１３】
図２において、２１はＭＰＵなどからなる制御部である。２２は警報部で、流水検知装置５が流水を検知した時に、ブザーなどを鳴らして、住戸Ｈ内に火災の発生を警報するものである。２４は充電池で、後述する発電機３２によって発電された電気を蓄えるものである。これら警報部２２、充電池２４は制御部２１にそれぞれ接続され、制御盤２０内におさまっている。この制御盤２０は商用電源に接続されて電源が供給されている。なお、制御盤２０が流水時における警報機能しか備えていないのであれば、特に商用電源と接続しておかなくてもよい。
【００１４】
３０は二次側配管２に設けた回転駆動手段で、水車３１（又はタービンなど）から構成される。回転駆動手段３０は、配管２内を流れる水によって回転して、流体の運動エネルギを機械的エネルギとして得るものである。３２は回転駆動手段３０に接続された発電機である。発電機３２は、水車３１の回転により電気を発生するものである。この発電機３２と水車３１は一体に構成してもよい。
【００１５】
次に本発明のスプリンクラ消火設備の動作について説明する。住戸Ｈ内で火災が発生すると、スプリンクラヘッド３が動作する。二次側配管２の基端側に設けた流水検知装置５は、スプリンクラヘッド３の動作に伴う流水を検知して動作する。この時、制御盤２０は流水検知装置５からの流水信号を受けると、警報部２２のブザーを鳴らして火災の発生を警報する。
【００１６】
スプリンクラヘッド３には二次側配管２を介して水道本管１から水が供給され続け、スプリンクラヘッド３は水を放水し続ける。こうして火災は消火される。その後、住戸Ｈ内の人が、火災が鎮火したことを確認して、停止弁７を閉じて、スプリンクラヘッド３への水の供給を停止する。これによりスプリンクラヘッド３からの放水は停止する。
【００１７】
続いて、配管２内の流水による発電作用について説明する。二次側配管２内には常時、水が充水されており、停滞水（死に水）防止のため、末端の給水栓１１が開放されると、二次側配管２内の水は排出される。給水栓１１はトイレのロータンンクや洗濯機の箇所に設けられるので、トイレや洗濯機を使うたびに、定期的に二次側配管２内の水が流れる。
【００１８】
この際、二次側配管２に設けた回転駆動手段３０をなす水車３１が水の流れを受けて回転する。水車３１の回転により、発電機３２で電気が発生し、充電池２４へと蓄えられる。このため、火災時に停電などが生じても、充電池２４を電源として警報部２２から警報を行うことができる。また住戸Ｈの人が制御盤２０のコンセントを商用電源から外しても、火災時に警報を出力することができる。
【００１９】
本発明の他の実施形態について説明する。本実施形態では、回転駆動手段３０を二次側配管２に取り付けた場合で説明したが、回転駆動手段３０はスプリンクラヘッド３を配管２に接続する継手部分に設けてもよい。
【００２０】
また本実施形態では、常時、二次側配管２内が充水された湿式のスプリンクラ消火設備を例に説明したが、予作動式のスプリンクラ消火設備に本発明を適用してもよい。この場合には、二次側配管２には定期的な水の流れが生じないので、回転駆動手段３０は生活用の給水栓１４が接続される配管に設けようにすればよい。またこの際、住戸Ｈには火災感知器が設けられ、二次側配管２の基端側には火災感知器の信号によって開放する弁が設けられるが、充電池２４を電源として、火災感知器へ供給したり、弁の開閉に利用してもよい。
【００２１】
【発明の効果】
本発明は以上のように構成され、停滞水防止のために定期的に配管内を流れる水の運動エネルギを利用して充電池を充電することができる。このため火災時に停電が発生しても警報を行うことができ、水の運動エネルギを有効利用できる。
【図面の簡単な説明】
【図１】本発明のスプリンクラ消火設備のシステム図である。
【図２】本発明のブロック図である。
【符号の説明】
１　水道本管、　２　二次側配管、　３　スプリンクラヘッド、
５　流水検知装置、　６　逆止弁、　７　停止弁、　１０　定流量弁、
１１　給水栓、　１２　水道メータ、　１３　停止弁、　１４　給水栓、
２０　制御盤、　２１　制御部、　２２　警報部、　２４　充電池、
３０　回転駆動手段、　３１　水車、　３２　発電機、　Ｈ　住戸、
【図１】
2004113665.tif 000003
【図２】
2004113665.tif 000004